(57)【特許請求の範囲】
【請求項１】
電子装置であって、
液晶ディスプレイを備えたディスプレイ装置と、
映像生成装置と、
光結合器と、
前記ディスプレイ装置と異なる位置に映像が生成されるよう、前記映像生成装置に提供するビームを生成させることが可能な光源と、
導入される前記ビームを反射する第一の反射面を備えた光学モジュールと、を有し、
前記液晶ディスプレイは、当該液晶ディスプレイの第一のバックライト光源を提供するバックライトユニットを有し、
前記光学モジュールの第一の反射面は、第一位置と第二位置との間で移動可能であり、
前記第一の反射面が前記第一位置にある時、前記光源により生成されたビームを、前記第一の反射面で反射して、共同軸に沿って前記光学モジュールから導出し、
前記第一の反射面が前記第二位置にある時、前記光源により生成されたビームを、前記第一の反射面で反射せずに前記液晶ディスプレイの第二のバックライト光源としてのみに用いる際に、前記液晶ディスプレイと前記バックライトユニットとの間に配置された前記光結合器は、前記第一のバックライト光源と、前記第二のバックライト光源とを結合して前記液晶ディスプレイに提供することを特徴とする電子装置。
【請求項２】
第一のビームスプリッターをさらに有し、
前記第一の反射面が前記第一位置にある時、前記第一のビームスプリッターは、前記光学モジュールから導出されたビームを、前記映像の生成に用いられる第一部分のビームと、前記液晶ディスプレイの第二のバックライト光源として用いられる第二部分のビームとに分離することを特徴とする請求項１に記載の電子装置。
【請求項３】
第二の反射面をさらに有し、
前記第一の反射面が前記第一位置にある時、前記第二の反射面は、前記光学モジュールから導出されたビームを、前記液晶ディスプレイの第二のバックライト光源としてのみに用いられるように反射することを特徴とする請求項１に記載の電子装置。
【請求項４】
導波器をさらに有し、
前記光源により生成されたビームは、前記光学モジュール及び前記導波器を介して前記ディスプレイ装置に提供されることを特徴とする請求項１〜３のいずれか一項に記載の電子装置。
【請求項５】
前記導波器は、導入される前記光学モジュールからのビームを複数サブビームに分離する、複数の第二のビームスプリッターを有することを特徴する請求項４に記載の電子装置。
【請求項６】
前記光源は、カラービームを生成する、互いに離間設置される複数の光源生成装置を有し、
前記光学モジュールは、一つ或いは複数のカラーフィルターをさらに有し、
前記各々のカラーフィルターは、前記光源生成装置からのビーム及び前記光源生成装置からの前記第一の反射面により反射されたビームを、共同軸に沿って前記光学モジュールから導出することを特徴とする請求項１〜５のいずれか一項に記載の電子装置。
【発明の詳細な説明】
【技術分野】
【０００１】
本発明は、バックライトユニットを備えた電子装置に関する。
【背景技術】
【０００２】
電子装置、例えば、携帯電話、或いは、ＭＰ３プレーヤーは、通常、例えば、液晶表示パネル等のディスプレイ装置が配置されている。周知の液晶ディスプレイは非放射性(non-emissive type)ディスプレイであり、且つ、光源による照明を必要とする。よって、透過型液晶ディスプレイ、或いは、半透過型・半反射型液晶ディスプレイは、全て、表示パネルにより光源を提供するバックライトユニットを有する。
【発明の概要】
【発明が解決しようとする課題】
【０００３】
本発明は、電子装置を提供することを目的とする。
【課題を解決するための手段】
【０００４】
光学モジュールは光源を分配するように電子装置に使用され、光源は同時に、映像投影装置及び異なる付加装置、例えば、液晶ディスプレイ装置に分配される。或いは、光源が映像投影装置に使用されない場合、光源は、はじめて付加装置のバックライト光源として提供され、光源が液晶ディスプレイ装置のバックライトモジュールを提供するのに用いられる場合、ビームは、光結合器によりディスプレイ装置のバックライトユニットに結合される。
【０００５】
このような点に鑑みて、本発明は、液晶ディスプレイを備えたディスプレイ装置と、映像生成装置と、光結合器と、前記ディスプレイ装置と異なる位置に映像が生成されるよう、前記映像生成装置に提供するビームを生成させることが可能な光源と、導入される前記ビームを反射する第一の反射面を備えた光学モジュールと、を有し、前記液晶ディスプレイは、当該液晶ディスプレイの第一のバックライト光源を提供するバックライトユニットを有し、前記光学モジュールの第一の反射面は、第一位置と第二位置との間で移動可能であり、前記第一の反射面が前記第一位置にある時、前記光源により生成されたビームを、前記第一の反射面で反射して、共同軸に沿って前記光学モジュールから導出し、前記第一の反射面が前記第二位置にある時、前記光源により生成されたビームを、前記第一の反射面で反射せずに前記液晶ディスプレイの第二のバックライト光源としてのみに用いる際に、前記液晶ディスプレイと前記バックライトユニットとの間に配置された前記光結合器は、前記第一のバックライト光源と、前記第二のバックライト光源とを結合して前記液晶ディスプレイに提供する電子装置を提供する。
【０００６】
本発明の一実施例において、光学モジュールから導出されたビームを、映像の生成に用いられる第一部分のビームと、液晶ディスプレイの第二のバックライト光源として用いられる第二部分のビームとに分離する第一のビームスプリッターをさらに有する。
【０００７】
本発明のもう一つの実施例において、光学モジュールから導出されたビームを、液晶ディスプレイの第二のバックライト光源としてのみ用いられるように反射する第二の反射面をさらに有する。
【０００８】
本発明の一実施例において、電子装置は導波器をさらに有し、光源により生成されたビームを、光学モジュール及び前記導波器を介してディスプレイ装置に提供する。
【０００９】
本発明の一実施例において、導波器は、導入される光学モジュールからのビームを複数サブビームに分離する、複数の第二のビームスプリッターを有する。
【００１０】
本発明の一実施例において、光源は、カラービームを生成する、互いに離間設置される複数の光源生成装置を有し、光学モジュールは、一つ或いは複数のカラーフィルターをさらに有し、各々のカラーフィルターは、光源生成装置からのビーム及び第一の反射面により反射された光源生成装置からのビームを、共同軸に沿って前記光学モジュールから導出する。
【発明の効果】
【００１１】
ある電子装置において、光源を有する映像投影モジュールは映像を提供するのに用いられ、このような電子装置において、光源から出力されるビームの内、少なくとも一部が、非放射型の液晶ディスプレイ装置のバックライト光源を提供するのに用いられる。
【図面の簡単な説明】
【００１２】
【図１】本発明の各実施例に係る液晶ディスプレイ装置、バックライトユニット及びバックライトユニットに結合された異なる光源を有する電子装置を示す図である。
【図２−１】本発明の一実施例に係る映像投影モジュール及び導波器を示す図であり、導波器は、一つ或いは複数のビームを映像投影モジュールからバックライトユニットに導入する。
【図２−２】本発明のもう一つの実施例に係る映像投影モジュール及び導波器の部分的構造を示す図である。
【図３−１】本発明の異なる実施例に係る光源と光学モジュールを有する映像投影モジュールを示す図である。
【図３−２】図３−１の映像投影モジュール及び光学モジュールの部分的構造が、異なるモードで操作されることを示す図である。
【図４−１】本発明のもう一つの実施例に係る光源と光学モジュールを有する映像投影モジュールを示す図である。
【図４−２】図４−１の映像投影モジュール及び光学モジュールの部分的構造が、異なるモードで操作されることを示す図である。
【図５】異なる映像投影モジュールを示す図である。
【図６】本発明の一実施例に係る光結合器を示す図である。
【図７−１】本発明の一実施例に係る異なる分配配列ビームを示す図である。
【図７−２】本発明のもう一つの実施例に係る分配配列ビームを示す図である。
【図８−１】本発明の一実施例に係る異なる分配配列ビームを示す図である。
【図８−２】本発明のもう一つの実施例に係る分配配列ビームを示す図である。
【発明を実施するための形態】
【００１３】
図１は電子装置１を示し、この電子装置１は、液晶ディスプレイ１０及びバックライトユニット（Back Light Unit, BLU）２０を含み、バックライトユニット２０は、液晶ディスプレイ１０に必要な光源を提供する。そして、電子装置１は、また、映像投影モジュール５０を有し、且つ、映像投影モジュール５０は、映像データソース１００、光源１２０、光学モジュール１５０及び映像生成モジュール１７０を有する。映像投影モジュール５０により投影映像を提供する場合、映像データソース１００は、映像データを光源１２０に提供して、光源１２０の出力を制御し、続いて、光源１２０の出力により、光学モジュール１５０から第一ビーム２００を映像生成モジュール１７０に提供させ、映像生成モジュール１７０は映像を提供して、映像ビーム１８０を形成し、例えば、表面１８６上で投影映像１８２を生成することができる。
【００１４】
本発明の一実施例によれば、第一ビーム２００により投影映像１８２を生成する場合、第一ビーム２００は単に光源１２０から出力される一部であるが、光源１２０から出力される他の一部は第二ビーム２１０を提供し、液晶ディスプレイ１０に必要な光源を提供することができる。図１に示すように、第二ビーム２１０は、導波器３０の引導により、光結合器３２に導入され、バックライトユニット２０の一部になる。
【００１５】
図２−１及び図２−２は映像投影モジュール５０を示す図である。図２−２に示すように、光源１２０は、三つの光源生成装置１２２、１２４及び１２６を有し、光源生成装置１２２、１２４及び１２６は、例えば、レーザー光源であり、色の異なる三つのビーム（例えば、赤、緑及び青色）を生成し、且つ、各ビーム１３２、１３４及び１３６の強度は、映像データソース１００を介して提供されるカラーデータ信号１０２、１０４及び１０６により制御される。
【００１６】
図２−１に示すように、光学モジュール１５０は、第一反射面１５２を有し、光軸（OA）に沿って、ビーム１３２を映像生成モジュール１７０に導入し、光学モジュール１５０は、更に、第一ビームスプリッター１５４及び第二ビームスプリッター１５６を有し、光軸に沿ってビーム１３４及び１３６のうちの一部を、それぞれ映像生成モジュール１７０に導入するが、これらの光学モジュール１５０からのビームは第一ビーム２００を形成する。
【００１７】
映像生成モジュール１７０は、第一ビーム２００を走査ミラー１７６に導入する第二反射面１７２を有し、走査ミラー１７６は、例えば、微小電気機械システム（MEMS）走査装置である。しかし、走査装置１７４の制御により、走査ミラー１７６は二次元走査を提供し、映像ビーム１８０により表面１８６上で二次元投影映像１８２を形成させ、且つ、投影映像１８２はマルチカラー映像である。
【００１８】
注意すべきことは、ビーム１３４及び１３６のうちの一部が、第一ビームスプリッター１５４及び第二ビームスプリッター１５６を介して、映像生成モジュール１７０に向かって反射される場合、ビーム１３４及び１３６のうちのその他の一部も、その他の方向に沿って伝送され、且つ、第一ビームスプリッター１５４及び第二ビームスプリッター１５６を透過する。第一ビームスプリッター１５４は、第一反射面１５２により導入される一部のビームを反射し、第二ビームスプリッター１５６も、第一反射面１５２及び第一ビームスプリッター１５４により導入される一部のビームを反射するが、これらの伝送及び反射されたビーム（図２−１の２１０）は、映像投影に用いられない。本発明の一実施例によれば、未使用の第二ビーム２１０は、導波器３０を介して光結合器３２に導入され、液晶ディスプレイ１０（図１に示す）に必要な光源を提供するので、本実施例では、光源１２０により提供されるビームは、同時に、映像生成モジュール１７０及び液晶ディスプレイ１０に分配され、この時、光学モジュール１５０自体は、光源分配モードで操作される。
【００１９】
本発明のもう一つの実施例によれば、映像生成モジュール１７０による投影映像１８２を生成しない場合（図１及び図２−１参照）、第一反射面１５２、第一ビームスプリッター１５４及び第二ビームスプリッター１５６は移動可能であり、ビーム１３２、１３４及び１３６は直接、導波器３０（図２−２に示す）に進入し、導波器３０及び光結合器３２により、ビーム１３２、１３４及び１３６から液晶ディスプレイ１０に必要な光源を提供させ、この時、光学モジュール１５０自体は、バックライト照明モードで操作される。
【００２０】
図３−１及び図３−２は、異なる映像投影モジュール５０を説明する図である。図３−２に示すように、光源１２０はビーム１３１を提供する光源生成装置１２１を有し、また、ビーム１３１の強度は、映像データソース１００から提供されるデータ信号１０１により制御される。
【００２１】
光学モジュール１５０は、光軸に沿い、映像生成モジュール１７０に向かって、ビーム１３１を反射する第三反射面１５１を有し、続いて、反射される第一ビーム２００は、更に、第二反射面１７２を介して走査ミラー１７６に反射される。しかしながら、走査装置１７４の制御により、走査ミラー１７６は二次元走査を提供し、映像ビーム１８０により、表面１８６上に二次元投影映像１８２を形成させ、且つ、投影映像１８２は単色映像である。
【００２２】
本実施例において、ビーム１３１が投影映像１８２を提供するのに用いられる場合、ディスプレイ装置１０（図１に示す）に必要な光源を提供するのに用いられるビーム１３１は一つもない。この時、光学モジュール１５０自体は、映像投影モードで操作される。
【００２３】
映像生成モジュール１７０が投影映像１８２を生成しない場合、第三反射面１５１は移動可能であり、ビーム１３１は直接、導波器３０に進入し（図３−２に示す）、導波器３０及び光結合器３２により、液晶ディスプレイ１０に必要な光源を提供し、この時、光学モジュール１５０自体は、再度、バックライト照明モードで操作される。
【００２４】
図２−１及び図３−１に記載の実施例において、第一ビーム２００は、単一の走査ミラーにより二次元画像を走査し、二次元映像１８２を形成する。しかしながら、本発明のもう一つの実施例によれば、第一ビーム２００は、ビーム拡大器１７３により拡大された後、マルチ素子走査装置１７７により二次元画像を走査し（図４−１に示す）、前記マルチ素子走査装置１７７はデジタルライトプロセッシング（DLP）であり、複数のプロジェクタ装置１７５により制御される二次元アレイ走査ミラーを有し、且つ、各走査ミラーは投影映像１８２のうちの一画素を提供することができる。この実施例において、各画素は、プロジェクタ装置１７５のカラーデータ信号１０２、１０４及び１０６により制御され（図４−１に示す）、この時、光学モジュール１５０は光源分配モードで操作される。
【００２５】
本実施例は、図２−２に示すように、映像生成モジュール１７０による投影映像１８２を生成しない場合（図１及び図４−１参照）、第一反射面１５２、第一ビームスプリッター１５４及び第二ビームスプリッター１５６は移動可能であり、ビーム１３２、１３４及び１３６は、直接、導波器３０に進入し（図４−２に示す）、導波器３０及び光結合器３２により、ビーム１３２、１３４及び１３６から液晶ディスプレイ１０に必要な光源を提供させ、この時、光学モジュール１５０自体は、バックライト照明モードで操作される。
【００２６】
図５は、異なる映像生成モジュール１７０を示す図であり、映像投影ライトバルブ或いは液晶ディスプレイ１９０を使用して、一つの走査ミラー１７６（図２−１及び図３−１に示す）或いはマルチ素子走査装置１７７（図４−１に示す）を代替し、さらに、投影映像１８２を提供する。本実施例において、第一ビーム２００は、ビーム拡大器１７９を介して広いビーム２０１に拡大され、投影映像１８２の画素強度は、映像データソース１００から提供されるデータ信号１０９により制御される。
【００２７】
図２−１と図４−１の実施例と比較すると、図５の光学モジュール１５０は光源分配モードで操作される。
【００２８】
注意すべきことは、映像投影がいかにして完成されるのかは本発明の一部ではなく、本発明の主な目的は、光源１２０により提供されるビームを利用して映像投影を生成することに関する。図１において、光学モジュール１５０の制御により、光源１２０により提供されるビームは、液晶ディスプレイに必要な光源を提供するのに用いられ、且つ、上述の実施例から分かるように、光源１２０により提供されるビームは、分配モード及び非分配モードで運用される。分配モードにおいて、光源１２０により提供されるビームは映像生成モジュール１７０及びバックライトユニット２０に分配され、非分配モードにおいては、光源１２０が映像生成モジュール１７０を介して映像を生成しない場合、光源１２０により提供されるビームは、液晶ディスプレイ１０に必要な光源の提供のみに用いられ、更に、光源１２０により提供されるビームが部分的或いは完全に、液晶ディスプレイ１０に必要な光源を提供するのに用いられる場合、ビームは光結合器３２を介してバックライトユニット２０に結合される。
【００２９】
図６は、光結合器３２を示す概略図であり、光結合器３２は拡散表面３４を有し、第二ビーム２１０により拡散光源を提供させるが、第二ビーム２１０のビーム強度によって、バックライトユニットから出力されるビームは弱くなる。更に、光結合器３２及びその拡散表面３４は、バックライトユニット２０の裏面に設置されてもよいが、距離は液晶ディスプレイ１０より遠くさせて欲しく、バックライトユニット２０の配置及び構造によって決められる。
【００３０】
本発明のもう一つの実施例において、第二ビーム２１０は、更に、二つ或いは更に多くのビームに分けられ、電子装置中の二つ或いは更に多くの素子或いは付加装置に必要な光源を提供する。図７−１及び図７−２に示すように、光学モジュール１５０により出力される光源は、ビームスプリッター１６０により分離されると共に、第一ビーム２００及び第二ビーム２１０を形成し、第二ビーム２１０は、更に、導波器３０において、ビームスプリッター１６２、１６４及び１６６により分離されると共に、サブビーム２１２、２１４、２１６及び２１８を形成する。サブビーム２１２は、液晶ディスプレイ１０（図１に示す）に必要な光源を提供する。しかしながら、電子装置１（図１に示す）がその他の付加装置或いは素子を有する場合、サブビーム２１４、２１６及び２１８は、上述の付加装置或いは素子の一部或いは全てに必要な光源を提供するのに用いても良い。図７−１及び図７−２に示すように、サブビーム２１４は、キーボード１２に必要な光源を提供し、サブビーム２１６は、もう一つの付加装置１４（例えば、キーボード１２以外のスイッチ或いはボタン）に必要な光源を提供し、同様に、サブビーム２１８は、この装置のその他の部分に必要な光源を提供するのに用いられる。
【００３１】
図７−１において、光源１２０及び光学モジュール１５０は、図３−１に示すものと類似し、図７−２における光源１２０は、図２−１、図４−１及び図５に示すものと類似する。
【００３２】
図７−２を参照すると、光学モジュール１５０は、第一カラーフィルター１５５及び第二カラーフィルター１５７を有し、図２−１、図４−１、及び、図５に示す第一ビームスプリッター１５４、第二ビームスプリッター１５６を代替するが、光源１２０におけるビーム１３２、１３４及び１３６が、それぞれ、赤、緑及び青色のビームであれば、第一カラーフィルター１５５はローパスフィルターであり、緑色ビームに対し高い反射比を有し、赤色ビームに対し高い透過比を有する。そして、第二カラーフィルター１５７は青色ビームに対し高い反射比を有し、緑色及び赤色ビームに対しては、高い透過比を有する。よって、光学モジュール１５０により出力される合成ビームは、赤、緑及び青色など三種類の元素を有する。しかしながら、カラーフィルターは公知技術なので、本発明の主要部分ではない。
【００３３】
図７−１及び図７−２に示す実施例において、光学モジュール１５０により出力される光源は分離されると共に、第一ビーム２００及び第二ビーム２１０を形成し、液晶ディスプレイ１０、キーボート１２、付加装置１４及び映像生成モジュール１７０（図２−１、図３−１、図４−１及び図５参照）に共同で光源１２０を使用させるか、或いは、映像生成モジュール１７０が光源１２０を使用しない場合のみに、光源１２０は付加装置に必要な光源を提供するのに用いられる。そして、図８−１及び図８−２に示すように、反射面１６１はビームを光学モジュール１５０により導波器３０に反射させるのに用いられる。
【００３４】
要するに、本発明は、一種の方法及び装置を提供し、光源により映像投影を生成して、映像ディスプレイを照明し、映像ディスプレイは、例えば、バックライトユニットを有する液晶ディスプレイであって、光源が映像投影に用いられるビームは、部分的或いは完全に、光結合器を介してバックライトユニットに結合される。
【００３５】
分配モードにおいて、光源からの一部のビームは映像投影に用いられ、その他のビームは、映像ディスプレイの照明に用いられるが、非分配モードにおいて、ビームは、完全に映像投影、或いは、映像ディスプレイの照明に用いられる。そして、光学モジュールは電子装置中に用いられ、光源を分配し、光源は同時に、映像投影装置及び異なる付属装置、例えば、液晶ディスプレイに共同で用いられ、或いは、光源が映像投影装置に利用されない場合、光源は付属装置に必要な光源のみを提供するのに用いられる。光源が液晶ディスプレイのバックライト光源を提供するのに用いられる場合、光源からのビームは、ディスプレイ装置のバックライトユニットに結合され、しかも、液晶ディスプレイ装置のバックライト光源を提供する以外に、一部のビームは、その他の付属装置或いは部品、例えば、電子装置のキーボードに必要な光源を提供するのに用いられる。
【００３６】
本発明の各種実施例に係る装置は、ディスプレイ装置、映像生成装置、ビーム及び光学モジュールからなる。ビームは光源を映像生成装置に提供するのに用いられ、ディスプレイ装置と異なる位置に映像を生成し、映像生成装置により生成された映像は、例えば、投影映像であり、更に、光学モジュールはビームを導入するのに用いられ、少なくとも一部のビームが、ディスプレイ装置のバックライト光源を提供するのに用いるようにさせる。光学モジュールはビームを分離するように配置され、第一部分と第二部分を形成し、第一部分のビームは、投影映像を生成するのに用いられ、第二部分のビームは、ディスプレイ装置のバックライト光源を提供するのに用いられる。ビームは、更に分離されて、第三部分を形成し、第三部分のビームは、装置における付属装置に必要な光源を提供するのに用いられる。本発明のもう一つの実施例において、前記ビームが投影映像の生成に用いられない場合のみ、光学モジュールはビームを導入して、ディスプレイ装置のバックライト光源を提供する。
【００３７】
本発明の各実施例において、ビームは互いに離間設置される複数のカラービームを有し、光学モジュールは、一つ或いは複数のビームスプリッター及び／又はカラーフィルターを有し、共同軸に沿って、カラービームを映像生成装置に導入する。本発明のもう一つの実施例において、ビームは互いに分離設置される複数のカラービームを有し、光学モジュールは、一つ或いは複数のカラーフィルターを有し、これらのカラービームを結合して、合成ビームを合成させ、合成ビームは、第一部分と第二部分を有し、第一部分は、映像生成装置に導入され、第二部分はディスプレイ装置に導入される。
【００３８】
本発明の各実施例により提供される装置の使用方法によれば、装置は、ディスプレイ装置及びビームを有し、且つ、ビームは映像生成装置に提供され、ディスプレイ装置と異なる位置に映像を生成し、この使用方法は、少なくとも一部のビームを導入して、ディスプレイ装置のバックライト光源を提供する工程を備える。一実施例において、映像は、映像生成装置により生成され、且つ、映像は投影映像を有し、ディスプレイ装置と異なる位置に形成され、この使用方法は、更に、ビームを分離して、第一部分と第二部分を形成し、第一部分のビームは、光源を映像投影装置に提供し、第二部分のビームは、ディスプレイ装置のバックライト光源を提供するのに用いられる工程を備える。本発明のもう一つの実施例において、映像投影装置により提供される映像は投影映像を含み、且つ、投影映像はディスプレイ装置と異なる位置に形成され、ビームが投影映像を生成するのに用いられない場合のみ、前記ビームはディスプレイ装置のバックライト光源を提供する。
【００３９】
本発明では好ましい実施例を前述の通り開示したが、これらは本発明を限定するものではなく、当該技術を熟知する者なら誰でも、本発明の精神と領域を脱しない範囲内で各種の変動や潤色を加えても良く、よって、本発明の保護範囲は、特許請求の範囲で指定した内容を基準とする。
【符号の説明】
【００４０】
１〜電子装置
１０〜液晶ディスプレイ
１２〜キーボード
１４〜付加装置
２０〜バックライトユニット
３０〜導波器
３２〜光結合器
５０〜映像投影モジュール
１００〜映像データソース
１０１、１０９〜データ信号
１０２、１０４、１０６〜カラーデータ信号
１２０〜光源
１２１、１２２、１２４、１２６〜光源生成装置
１３１、１３２、１３４、１３６〜ビーム
１５０〜光学モジュール
１５１〜第三反射面
１５２〜第一反射面
１５４〜第一ビームスプリッター
１５６〜第二ビームスプリッター
１５５〜第一カラーフィルター
１５７〜第二カラーフィルター
１６０、１６２、１６４、１６６〜ビームスプリッター
１６１〜反射面
１７０〜映像生成モジュール
１７２〜第二反射面
１７３、１７９〜ビーム拡大器
１７４〜走査装置
１７５〜プロジェクタ装置
１７６〜走査ミラー
１７７〜マルチ素子走査装置
１８０〜映像ビーム
１８２〜投影映像
１８６〜表面
１９０〜映像投影ライトバルブ或いは液晶ディスプレイ
２００〜第一ビーム
２０１〜広いビーム
２１０〜第二ビーム
２１２、２１４、２１６、２１８〜サブビーム
【図１】
0005444399.tif 000002
【図２−１】
0005444399.tif 000003
【図２−２】
0005444399.tif 000004
【図３−１】
0005444399.tif 000005
【図３−２】
0005444399.tif 000006
【図４−１】
0005444399.tif 000007
【図４−２】
0005444399.tif 000008
【図５】
0005444399.tif 000009
【図６】
0005444399.tif 000010
【図７−１】
0005444399.tif 000011
【図７−２】
0005444399.tif 000012
【図８−１】
0005444399.tif 000013
【図８−２】
0005444399.tif 000014